(57)【要約】【課題】  画像形成を終えて排出されてくる記録用紙の後端縁を揃えて収容することのできる画像形成装置を提供する。【解決手段】  記録媒体上に画像を形成する画像形成装置において、画像が形成された記録媒体を外部に排出する排出口と、排出口から排出された記録媒体を排出方向後端部を下げた状態に載置する排出トレイと、排出トレイ上に排出された記録媒体の排出方向後端縁を叩いて、積み重ねられた記録媒体の後端縁を揃えるタッピング板とを備えたことにより、画像形成を終えて排出されてくる記録用紙の後端縁を揃えて収容する。【選択図】        図２
2005104607.tif 000002
【特許請求の範囲】
【請求項１】
記録媒体上に画像を形成する画像形成装置において、
画像が形成された記録媒体を外部に排出する排出口と、
前記排出口から排出された記録媒体を排出方向後端部を下げた状態に載置する排出トレイと、
前記排出トレイ上に排出された記録媒体の排出方向後端縁を叩いて、積み重ねられた記録媒体の後端縁を揃えるタッピング板とを備えたことを特徴とする画像形成装置。
【請求項２】
前記排出トレイ上に排出された記録媒体の後端縁の両側部を支える一対の立壁固定部を有し、
前記タッピング板は、前記排出トレイ上に排出された記録媒体の後端縁の、前記一対の立壁固定部に挟まれた中央部を叩くものであることを特徴とする請求項１記載の画像形成装置。
【請求項３】
前記記録媒体を前記排出トレイ上に排出する排出ローラを備え、
前記タッピング板は、前記排出ローラの回転軸から駆動力を受けて、前記排出トレイ上に排出された記録媒体の後端縁を叩くものであることを特徴とする請求項１記載の画像形成装置。
【発明の詳細な説明】
【技術分野】
【０００１】
本発明は、記録媒体上に画像を形成する画像形成装置に関する。
【背景技術】
【０００２】
従来より、記録媒体上に画像を形成する画像形成装置として、複写機やプリンタなどが知られている。
【０００３】
これら複写機やプリンタでは、記録用紙上にトナーなどにより画像形成を行なった後、排出口を経由してこの記録用紙を装置上部等に設けられた排紙トレイに排出する。
【０００４】
排紙トレイでは、例えば、小さいサイズと大きなサイズの記録用紙が混在して排出されている場合には、その中から小さなサイズの記録用紙を確認しやすくする目的などから、これら記録用紙の後端縁を揃えることが行われている（例えば、特許文献１参照）。そのため、排紙トレイは、排出口から排出された記録用紙を、記録用紙の排出方向後端側を下げた状態で載置するようになっている。つまり、排出口から排出された記録用紙は、排出された勢いで排出口から離れた位置に一旦着地するが、記録用紙の後端縁は排紙トレイの上記機能により、排出口の下方に位置する立ち壁部に次第に近づいてくるため、この立ち壁部で記録用紙の後端縁は揃うことになる。
【特許文献１】特開平０５−３０６０６１号公報
【発明の開示】
【発明が解決しようとする課題】
【０００５】
しかし、排出トレイを、記録媒体を排出方向後端部を下げた状態で載置させるようなものとしただけでは、記録用紙どうしの間の摩擦力が大きい場合などには、記録用紙の後端縁が立壁部に近づくことができず記録用紙の後端縁が揃わない場合がでてくる。
【０００６】
本発明は、上記事情に鑑み、画像形成を終えて排出されてくる記録用紙の後端縁を揃えて収容することのできる画像形成装置を提供することを目的とする。
【課題を解決するための手段】
【０００７】
上記目的を達成するための本発明の画像形成装置は、
記録媒体上に画像を形成する画像形成装置において、
画像が形成された記録媒体を外部に排出する排出口と、
上記排出口から排出された記録媒体を排出方向後端部を下げた状態に載置する排出トレイと、
上記排出トレイ上に排出された記録媒体の排出方向後端縁を叩いて、積み重ねられた記録媒体の後端縁を揃えるタッピング板とを備えたことを特徴とする。
【０００８】
本発明の画像形成装置では、排出トレイが、排出口から排出された記録媒体を排出方向後端部を下げた状態に載置するようになっていることに加え、排出トレイ上に排出された記録媒体の排出方向後端縁がタッピング板で叩かれるようになっている。したがって、このタッピング板によって叩くことができる記録用紙の後端縁にタッピング板による振動が加えられることで、このタッピング板によって後端縁を叩くことのできない離れた場所に位置する記録用紙を相対的にタッピング板側に進ませることができる。これにより、本発明の画像形成装置によれば、排出トレイ上に排出された記録媒体の排出方向後端縁を揃えることができる。
【０００９】
ここで、上記排出トレイ上に排出された記録媒体の後端縁の両側部を支える一対の立壁固定部を有し、上記タッピング板は、上記排出トレイ上に排出された記録媒体の後端縁の、上記一対の立壁固定部に挟まれた中央部を叩くものであることが好ましい。
【００１０】
このように、後端縁の中央部を叩くと、効率よく後端縁を揃えることができる。
【００１１】
また、上記記録媒体を上記排出トレイ上に排出する排出ローラを備え、上記タッピング板は、上記排出ローラの回転軸から駆動力を受けて、上記排出トレイ上に排出された記録媒体の後端縁を叩くものであることも好ましい態様である。
【００１２】
このようすると、排出された記録媒体の後端縁を叩く機構を簡易に実現することができる。
【発明の効果】
【００１３】
本発明の画像形成装置によれば、画像形成を終えて排出されてくる記録用紙の後端縁を揃えることができる。
【発明を実施するための最良の形態】
【００１４】
以下本発明の画像形成装置の実施形態について説明する。
【００１５】
図１は、本発明の画像形成装置の一実施形態の概略構成図である。
【００１６】
図１に示すプリンタ１は、電子写真方式による画像形成を行うレーザープリンタであり、主に、用紙収容部１１、画像形成部１２、定着器１３、および排出部１４で構成されている。
【００１７】
図１に示す用紙収容部１１には、記録用紙２０を引き出すための引き出しローラ１１１および用紙収容トレイ１１２が備えられている様子が代表的に示されている。
【００１８】
図１に示す画像形成部１２には、感光体ロール１２１、現像器１２２、および転写ロール１２３が備えられている様子が代表的に示されている。ここでは、図示しない帯電器により所定の電荷が付与された感光体ロール１２１上にレーザ光による露光によって静電潜像が形成され、この静電潜像が現像器１２２によってトナー現像される。その後、この感光体上に顕在化されたトナー像は、記録用紙上に転写ロール１２３によって転写される。トナー像が転写された記録用紙は、定着器１３で定着される。
【００１９】
図１に示す排出部１４には、トナー像が定着された記録用紙が載置される排出トレイ１４４、この排出トレイ１４に記録用紙を排出する排出ローラ１４１、記録用紙の排出方向後端部を下支えする固定壁１４３、および、記録用紙の排出方向後端部をタッピングする可動壁１４２が備えられている様子が示されている。
【００２０】
排出トレイ１４４は、固定壁１４３および可動壁１４２に向かう、傾いた傾斜面１４４ａを有している。
【００２１】
可動壁１４２は、図１に示す、位置Ｘと位置Ｙとの間の角度αを回動する。尚、図１には、記録用紙を搬送する搬送ローラ１５および筐体部１０も示されている。
【００２２】
図２は、図１に示す排出部の正面図である。
【００２３】
図２には、排出ローラ１４１、カム１４１ａ、回転シャフト１４１ｂ、受けギア１４１ｃ、可動壁１４２、固定壁１４３、および筐体１０が示されている。
【００２４】
このプリンタ１では、詳しくは後述するが、装置内部に備えられたモータの回転駆動力を、複数の伝達ギアで構成されたギア系列を通じて図２に示す受けギア１４１ｃに伝達するようになっており、この受けギア１４１ｃとカム１４１ａと上下２段のうちの上段側の排出ローラ１４１は、同じく上下２段のうちの上段側の回転シャフト１４１ｂに固定されている。上段側の回転シャフト１４１ｂは、両端が筐体１０によって回動自在に軸支されているため、回転駆動力が受けギア１４１ｃに伝達されると、上段側の回転シャフト１４１ｂに固定されているものは一緒に回転する。
【００２５】
また、下段側に示される回転シャフト１４１ｂには、上下２段のうちの下段側に示される排出ローラ１４１が固定され、下段側に示される回転シャフト１４１ｂの両端も筐体１０に回動自在に軸支されている。可動壁１４２は、下段側の回転シャフト１４１ｂに回動自在に軸支され、固定壁１４３は、筐体１０に固定されている。
【００２６】
上段側の排出ローラ１４１と下段側の排出ローラ１４１は、常時接触しており、カム１４１ａと可動壁１４２については、カム１４１ａの部分１４１１ａ（図４参照）と可動壁１４２の端部１４２ａとがカム１４１ａの回転により接触と非接触を繰り返すようになっている。
【００２７】
この排出部１４では、回転駆動力が受けギア１４１ｃに伝達されると、上段側の排出ローラ１４１が回転するため、下段側の排出ローラ１４１もこれに応じて回転する。また、カム１４１ａも回転するため、このカム１４１ａの部分１４１１ａと可動壁１４２の端部１４２ａが接触することで、可動壁１４２は図１に示す位置Ｘに移動し、これらが非接触となることで、可動壁１４２は図１に示す位置Ｙに戻る。このプリンタ１では、可動壁１４２によるこの動作が、排出された記録用紙の後端縁を叩く動作となっている。
【００２８】
図３は、上記排出ローラに回転駆動力を伝達するギア系列を示す図である。
【００２９】
図３には、引き出しローラ１１１を含む用紙収容部１１に加え、排出ローラ１４１、搬送ローラ１５、回転駆動力を生み出すモータ３０、および、このモータ３０で生み出された回転駆動力を搬送ローラ１５と排出ローラ１４１と繰り出しローラ１１１とに伝達する伝達ギア１６が示されている。つまり、排出ローラ１４１には、モータ３０からの回転駆動力が、伝達ギア１６および図２に示す受けギア１４１ｃを経由して伝達される。
【００３０】
図４は、排出部の一部を図２の右側から見た場合の概略図である。
【００３１】
図４には、上段側の回転シャフト１４１ｂに固定されたカム１４１ａ、および、下段側の回転シャフト１４１ｂに回動自在に軸支された可動壁１４２が示されている。前述したように、カム１４１ｂの部分１４１１ａと可動壁１４２の上端部１４２ａとは、カム１４１ａの回転により接触と非接触を繰り返すようになっているため、カム１４１ａが回転することで、可動壁１４２は、回転シャフト１４１ｂから垂直に下がった位置Ｙから、この位置Ｙから角度αだけ時計回りに進んだ位置Ｘの間を双方向に回動することとなる。位置Ｘは、記録用紙が当接する固定壁１４３の面よりも多少、排紙トレイ側に突き出た位置である。
【００３２】
このプリンタ１では、外部から送信された画像データについてのプリント指示が図示しない操作パネルから出されると、画像形成部１２における画像形成のタイミングに応じてモータ３０が回転し、その回転駆動力が引き出しローラ１１１に伝達されることで、用紙収容トレイ１１２からは記録用紙２０が引き出される。最終的にトナー像が定着された記録用紙２０は、同じくモータ３０からの回転駆動力が伝達されて回転する排出ローラ１４１によって排紙トレイ１４４上に排出される。このとき、前述したように、排出ローラ１４１が回転している間は、カム１４１ａも同様に回転しているため、可動壁１４２も位置Ｘと位置Ｙとの間を双方向に回動することで、排紙トレイ上の記録用紙の後端縁のうちの固定壁１４３で下支えされている両端部分を除く中心部分を叩くことになる。これにより、排紙トレイ上に排出された記録用紙のうち後端縁が固定壁１４３に当接していない記録用紙を相対的に固定壁側に進ませることができる。したがって、このプリンタ１では、排紙トレイ上に排出された記録用紙の後端縁を揃えることができる。
【００３３】
尚、上述の実施形態では、回転シャフト１４１ｂに取り付けたカム機構を利用して、排紙トレイ上の記録用紙の後端縁を叩く場合を例に挙げて説明しているが、この可動壁に、排紙トレイ上の記録用紙の後端縁を叩く動作をさせることのできる機構であれば、これがカム機構以外の機構であってもよい。
【図面の簡単な説明】
【００３４】
【図１】本発明の画像形成装置の一実施形態の概略構成図である。
【図２】図１に示す排出部の正面図である。
【図３】上記排出ローラに回転駆動力を伝達するギア系列を示す図である。
【図４】排出部の一部を図２の右側から見た場合の概略図である。
【符号の説明】
【００３５】
１  プリンタ
１０  筐体
１１  用紙収容部
１１１  引き出しローラ
１１２  用紙収容トレイ
１２  画像形成部
１２１  感光体ロール
１２２  現像器
１２３  転写ロール
１３  定着器
１４  排出部
１４１  排出ローラ
１４１ａ  カム
１４１１ａ  部分
１４１ｂ  回転シャフト
１４１ｃ  受けギア
１４２  可動壁
１４２ａ  端部
１４３  固定壁
１４４  排紙トレイ
１４４ａ  傾斜面
１５  搬送ローラ
１６  伝達ギア
２０  記録用紙
３０  モータ
【図１】
2005104607.tif 000003
【図２】
2005104607.tif 000004
【図３】
2005104607.tif 000005
【図４】
2005104607.tif 000006